(57)【要約】【課題】ブロックを舗装面に設置する場合接着剤を使用したものは耐候性に劣りさらにアンカーボルトで補強してもなおアンカーボルトが舗装面に強固に取り付けられない為舗装面から剥がれるものがある。【解決手段】ブロックの下部に横長な空洞体を設け、この空洞体は下面が開口状でこの下に位置する舗装面に連通しここにモルタルまたはコンクリートを注入しこのモルタルまたはコンクリートが硬化して舗装体と一体になって水平力抵抗体を作りこれにより横から受ける水平力に対して強固に耐えられる路面設置ブロックとした。【選択図】図６
2005201027.tif 000002
【特許請求の範囲】
【請求項１】
コンクリートブロックまたはモルタルブロックまたはこれらを鉄筋で補強したものの下部に横長な空洞体を設けこの空洞体は下面が開口状でこの下に位置する舗装面に連通し側面及び上面は横長な帽子状で上部に注入孔のある空洞体であり、この注入孔の上端は前記ブロックの上面に通じ、この空洞体に注入孔からモルタルまたはコンクリートを注入し、このモルタルまたはコンクリートが硬化して舗装面に付着して一体になり水平力抵抗体が形成され横から受ける水平力に対して水平荷重が前記ブロックから、水平力抵抗体、舗装面、舗装体へと伝わる水平力に対して舗装体に強固に固定した路面設置ブロック。
【請求項２】
コンクリートブロックまたはモルタルブロックまたはこれらを鉄筋で補強したものの下部に横長な空洞体を設けこの空洞体は下面が開口状でこの下に位置する舗装面に連通し側面及び上面は横長な帽子状で上部に注入孔のある空洞体であり、この注入孔の上端は前記ブロックの側面に通じ、この空洞体に注入孔からモルタルまたはコンクリートを注入し、このモルタルまたはコンクリートが硬化して舗装面に付着して一体になり水平力抵抗体が形成され横から受ける水平力に対して水平荷重が前記ブロックから、水平力抵抗体、舗装面、舗装体へと伝わる水平力に対して舗装体に強固に固定した路面設置ブロック。
【請求項３】
コンクリートブロックまたはモルタルブロックまたはこれらを鉄筋で補強したものの下部に横長な空洞体を設けこの空洞体は下面が開口状でこの下に位置する舗装面に連通し側面及び上面は横長な帽子状で上部に注入用開口部のある空洞体であり、この注入用開口部は前記ブロックの側面に通じ、この空洞体に注入用開口部からモルタルまたはコンクリートを注入し、このモルタルまたはコンクリートが硬化して舗装面に付着して一体になり水平力抵抗体が形成され横から受ける水平力に対して水平荷重が前記ブロックから、水平力抵抗体、舗装面、舗装体へと伝わる水平力に対して舗装体に強固に固定した路面設置ブロック。
【請求項４】
合成樹脂、ゴムまたは木材よりなるブロックを用いた請求項１〜請求項３に記載の路面設置ブロック。
【発明の詳細な説明】
【技術分野】
【０００１】この発明はアスファルト舗装やコンクリート舗装などの駐車場の車止めコンクリートブロック及び車止め以外の例えば歩車道境界ブロックのように道路に沿って縦長に設置する各種コンクリート製品に関するものである。
【背景技術】
【０００２】従来の車止めコンクリートブロックはアスファルトやコンクリートの舗装面にエポキシ系または特殊の接着剤（以下これらを単に接着剤とする）を塗りこの上に車止めコンクリートブロックを強力に押しつけて結合していた。更にこれを補強するために通常二本のアンカーボルトを車止めコンクリートブロックと舗装体との両方に一定量埋め込んで補強していた。しかしこれでもなお車止めコンクリートブロックが舗装から剥がれることがあるので様々な工夫が凝らされている。【０００３】また歩車道境界ブロックなどのように縦長な各種コンクリート製品の設置はこのコンクリート製品の設置のために舗装とは別個に砕石の投入転圧、型枠の設置撤去、コンクリート打設、モルタルの設置調整、製品の据え付けを行っていたが、この部分も同時に舗装を行い、この上に歩車道境界ブロックのようなコンクリート製品を設置すれば舗装の面積は増加するが全体の工事費は少なくなり工期も短縮できる。このためにもより確実なコンクリート製品の設置方法が求められていた。
【特許文献１】特開２００２−２１２９１３号公報
【発明の開示】
【発明が解決しようとする課題】
【０００４】従来のものには次のような課題がある。
（１）接着剤は耐候性に劣り温度変化に弱く時間の経過と共に劣化するものが多く値段も高いがコンクリートやモルタルは一週間一ヶ月とだんだん強度が増し値段も安い。
（２）路面が粗面である例えば透水性舗装の場合は接着力が弱く剥がれやすい。
（３）コンクリートブロックの製作時に反転して下面を上にしてコンクリートを打設するためブリージングによるレイタンスが生じ強度が極めて低い。この面に接着剤を使用した場合せん断に対してはほとんど強度を発揮できない。レイタンスをチッピングして除去しモルタルを敷き、こてで平滑に仕上げることはコスト高になる。
（４）アンカーボルトの強度が十分に生かされていない。コンクリートの強度にもよるが一般に引張り強度に見合う定着長は直径の１５〜２０倍であるから例えばアンカーボルトの直径を１０ｍｍとすると、その定着長は１５〜２０ｃｍになる。コンクリートブロック及び舗装体の両方にこれだけの厚さのコンクリートを用いることはコスト高で一般には使用出来ない。次にせん断について考えるとアンカーボルトは強度が有っても、それをとりまくアスファルトやコンクリートの表面に近いアンカーボルトに接する部分の局部的な水平方向の支圧耐力が不足し従ってアンカーボルトも十分なせん断耐力を発揮できない。
（５）接着剤を使用するかわりにセメントまたはモルタルを使用する方法もあるがこれが薄いと強度が出ない。一定量以上の厚さがあると強度は出るが流出防止のため型枠が必要になりまたモルタル等を入念に打ち込む必要がある。型枠そのものをコンクリートで作り撤去しないでそのまま使用する前記の特開２００２−２１２９１３号公報のものもあるがこれは部材が二個になりコスト高になる。また勾配のある舗装面ではモルタルが型枠兼用のコンクリート枠から流出したり厚さが不均一で低い所が厚くなり高い所が薄くなる欠点がある。
【問題を解決するための手段】
【０００５】コンクリートブロックまたはモルタルブロックまたはこれらを鉄筋で補強したもの（以下単にコンクリートブロックとする）の下部に横長な空洞体を設けこの空洞体は下面が開口状でこの下に位置する舗装面に連通し側面及び上面は横長な帽子状で上部に注入孔のある空洞体であり、この注入孔の上端は前記ブロックの上面に通じ、この空洞体に注入孔からモルタルまたはコンクリートを注入しこのモルタルまたはコンクリートが硬化して舗装面に付着して一体になり水平力抵抗体が形成される。このモルタルまたはコンクリートは無収縮性のものの方が望ましい。車等から受ける水平力に対して水平荷重が車輪等から前記ブロック、水平力抵抗体、舗装面、舗装体へと伝わる水平力に対して舗装体に強固に固定した路面設置ブロックとした。
【発明の効果】
【０００６】（１）路面とコンクリートブロックとの接合面には接着剤を使用しないでモルタルまたはコンクリートを路面にじかに打設するからせん断耐力が大きく接着剤のように時間の経過と共に劣化することはなく大きなせん断耐力がある。また接着剤に比較してモルタルまたはコンクリートは値段も安い。
（２）路面が透水性舗装のように粗面の場合滑面より大きいせん断耐力を発揮する。また透水性舗装の割合は駐車場でも道路でも年々増加している。
【発明を実施するための最良の形態】
【０００７】コンクリートブロック１は一般に駐車場等で使用されている長さ６０ｃｍ程度の横長のものでその断面形状は図１の実線で示す車止め専用形、図２の実線で示す歩車道境界ブロック形、図３の実線で示すハンチつき長方形がある。これらをそれぞれ１Ａ、１Ｂ，１Ｃとし総称してコンクリートブロック１とする。これに長さ６０ｃｍ程度の奥行きを考えると図１の場合は斜視図４のようになる。このコンクリートブロック１の底面に横長な空洞体２を図５の側面図の破線及び図１〜図３の断面図の破線のように設ける。これらをそれぞれ２Ａ、２Ｂ、２Ｃとする。【０００８】空洞体２の上部に注入孔３を設けておく。この注入孔３の横断面形は円形、方形、その他任意でよいが図４および図８の場合は方形の場合である。舗装面４の上にコンクリートブロック１を設置しモルタルまたはコンクリートを注入孔３の一方より注入し他方を空気抜き孔とする。モルタルまたはコンクリートはその性質として収縮を完全に無くすることはできないが無収縮性のものの方が非無収縮性のものより収縮を少なくできる。無収縮モルタルの例としては電気化学工業株式会社のプレタスコンがある。このプレタスコンの使用方法は試験練りによって得られたデータにもとずき適量の水を加えてよく練り混ぜ６０ｃｍの長さのコンクリートブロックの場合１リットルの計量カップで２〜３杯注入孔３より流し込む。作業はきわめて簡単かつ順調で注入した以外の穴からほとんどブリージングの無いタスコンモルタルが浮き上がって来る。この流動性の良さは同社のカタログのデンカタスコンのＤＥＮＫＡ２００３−６のＰ．４にも示されている。注入材は同社のもの以外でも同等品があればそれでもよい。【０００９】注入孔３の数は図５のように二個とは限らず特に製品が長い場合は多くする。モルタルまたはコンクリートが硬化すると舗装体６と一体になって水平力抵抗体５が形成される。これを図６のハッチング部分に符号５で示す。このとき空洞体２の上部の注入孔３から離れた部分や二つの注入孔３の中間部分の図５に示す空洞体端部７に施工上モルタルまたはコンクリートの粘性によりやむを得ずモルタルまたはコンクリートが充填されなくてもよいし、また費用の節約上故意に図６に示す空洞体上部８及び注入孔３の部分にモルタルまたはコンクリートを充填しなくてもよいし、更にまたモルタルまたはコンクリートの収縮により図６のａ〜ｂの間及びｆ〜ｇ〜ｈの間のコンクリートブロック１と水平力抵抗体５との接触面にきわめて小さい隙間が生じてもよい。と言うのはこの発明がコンクリートブロック１と水平力抵抗体５とが車から受ける水平力に関して発明が解決しようとする課題があり、それを解決するための手段であるからである。【００１０】次に鉛直力について示す。コンクリートブロック１と舗装面４とは密着しているが水平方向には移動が自由である。自重の大きいボックスカルバートやＬ形擁壁の底版上に土砂を載せた構造物では鉛直力が大きいから、これらのものの底面とこの下の基礎コンクリートとの摩擦抵抗により水平荷重に耐える構造であるが自重の比較的小さい車止めコンクリートブロックや歩車道境界ブロックのような路面設置ブロックではこれらの自重とこの下の舗装面との摩擦抵抗だけでは車等が当たれば容易に動いてしまう。図６のｂ〜ｃ面とｄ〜ｅ面及びｈ〜ｉ面とｊ〜ｋ面は密着しているが水平方向には自由に移動できる。このことをわかりやすく誇張して二つの接触面を故意に離れているように描いたのが図６である。車から受ける水平力に対して水平荷重が車輪からコンクリートブロック１，水平力抵抗体５、舗装体６へと伝わる構成である。【００１１】次に空洞体２と舗装面４との結合面積を計算するとｃ〜ｉ間を１８ｃｍとしｂ〜ｃ間及びｈ〜ｉ間を４ｃｍとするとｂ〜ｈ間は１０ｃｍとなりこの奥行きを６０−５×２＝５０ｃｍとすると面積はＡ＝５００ｃｍ２となる。せん断強度を０．２２Ｎ／ｍｍ２とする。これは日本道路協会発行  道路橋示方書（Ｉ共通編・ＩＶ下部構造編）・同解説  丸善株式会社出版事業部平成１４年３月７日  ４章  ４．２  コンクリートの許容応力度  Ｐ．１４７による。これより耐力は０．２２×（１０×１０）×（５０×１０）＝１１０００Ｎ≒１１００ｋｇｆ＝１．１ｔｆと強大なものになる。比較の為に例えば１５００ｃｃの乗用車の自重は約１．０ｔである。【００１２】この耐力を実際に確認するためにコンクリートブロック１Ａとほぼ同じものを作り車でテストした結果はコンクリートブロック１は舗装面４から剥がれたり移動せずコンクリートブロック１の上に乗り上げる様な強力な力で当てたりさらにコンクリートブロック１の逆の方向から車を元の位置に戻す前後動を繰り返してもコンクリートブロック１は舗装面４から移動したり剥がれることは無かった。このことから本発明の実用性が理論上の計算のみならず実験でも確認できた。【００１３】次に更に重要なことは空洞体２を横長に特定することによりトンネル形または変形トンネル形の横長な空洞体の一方の隅から他方の隅まで、くまなくモルタルまたはコンクリートを確実に充填できる。横長な空洞体でなく平面的に長方形に広がる空洞体の場合はどこから注入しても周辺の部分やすみの部分のすべてに充填されたか確認するために点検孔や隙間を多数設け最初に流出してきたところから次々に流出を防いで空洞体２の全ての部分にモルタルまたはコンクリートが充填するような措置が必要になる。【００１４】次に注入孔３をコンクリートブロック１の上面に設けないで側面に設けた方が注入跡が比較的目立たない。これを図７および図８に示し請求項２とする。【００１５】さらに注入孔３のかわりに注入用開口部９を設けた方が間口が広く注入作業がしやすい。これを図９、図１０および図１１に示し請求項３とする【００１６】請求項２および請求項３の場合も請求項１の場合と同様に水平力抵抗体５が形成され目的および作用効果は請求項１の場合と同様である。【００１７】車止めコンクリートブロックの場合一台の車にブロックを二個用いているものが多いが三個連続して用いているものもある。さらにこれを多数連続して使用すれば歩車道境界ブロックの設置のような縦長な構造物にも利用できる。【００１８】次に材料については請求項１〜請求項３に示したコンクリート、モルタルまたはこれらを鉄筋で補強したものは耐久性があるが重い欠点がある。請求項４に示した合成樹脂、ゴムまたは木材は耐久性が比較的劣り汚れが目立つが軽い利点がある。本出願��図面は、コンクリート、モルタル、ゴムまたは木材を想定してかいてある。合成樹脂の場合は従来の車止めブロックは外面の材料の厚さを薄くして内部にリブを入れて補強しているが本出願の場合は内部にモルタルまたはコンクリートを充填するため車からの荷重の為のリブは必要ないが作業中のブロック自体の変形を防ぐため程度のリブは付ける。リブを付けない場合はヘルメットに使用されている程度の厚さにする。
【図面の簡単な説明】
【００１９】
【図１】車止め専用形の場合の断面図である。
【図２】歩車道境界ブロック形の場合の断面図である。
【図３】ハンチつき長方形の場合の断面図である。
【図４】車止め専用形の場合の斜視図である。
【図５】側面の状態を示す説明図である。
【図６】車止め専用形の場合の内容を説明するための断面図である。
【図７】車止め専用形に注入孔を側面に設けた場合の断面図である。
【図８】車止め専用形に注入孔を側面に設けた場合の背面図である。
【図９】車止め専用形に注入用開口部を設けた場合の断面図である。
【図１０】車止め専用形に注入用開口部を設けた場合の斜視図である。
【図１１】車止め専用形に注入用開口部を設けた場合の背面図である。
【符号の説明】
【００２０】  １  コンクリートブロック
２  空洞体
３  注入孔
４  舗装面
５  水平力抵抗体
６  舗装体
７  空洞体端部
８  空洞体上部
９  注入用開口部
【図１】
2005201027.tif 000003
【図２】
2005201027.tif 000004
【図３】
2005201027.tif 000005
【図４】
2005201027.tif 000006
【図５】
2005201027.tif 000007
【図６】
2005201027.tif 000008
【図７】
2005201027.tif 000009
【図８】
2005201027.tif 000010
【図９】
2005201027.tif 000011
【図１０】
2005201027.tif 000012
【図１１】
2005201027.tif 000013